(57)【特許請求の範囲】
【請求項１】
両端に高圧側及び低圧側端子を植設した台座と、１対の磁足と中央磁足を有する上下２分割した磁気コアを組み込み、巻線を巻き回す台座側巻筒と、台座側蓋と、リード線用の引き出し溝と、係合溝とを具備する台座側ボビンの前記台座側巻筒に、仕切り板を兼ねる巻線用上蓋側巻筒と、縁端に係止爪を設けた下蓋を具備する上蓋側ボビンの前記上蓋巻筒を挿入し、前記係合溝に前記係止爪を係止して組み合わせてなるトランスにおいて、前記高圧側端子を植設する前記台座を前記上蓋側ボビンの外径と同寸以下とし、かつ前記高圧側端子位置の台座の角を矩形状に切り、この切られた矩形内に前記高圧側端子を植設してなることを特徴とするトランス。
【発明の詳細な説明】
【０００１】
【産業上の利用分野】
本発明は、陰極管等を点灯する電源装置に使用される高圧用トランスに関するものである。
【０００２】
【従来の技術】
従来の高圧トランスに使用されるコインボビンは、図２に示すように、上蓋側ボビン１と、台座側ボビン２の二つの部品から構成されている。上蓋側ボビン１は、上蓋８と下蓋９とを有し、上側磁気コア７ｄの中央磁足６ｂを挿入する上蓋側貫通孔１０ｂが設けられ、上蓋側巻筒５が一体に形成されている。また、上蓋側巻筒５の外側には、仕切り板１４［図１（ｃ）参照］と、下蓋９が一体に形成されており、一次側となる上蓋側の巻枠１６［図１（ｃ）参照］を形成している。さらに、下蓋９の縁端には、係止爪２Ａ，２Ｂが一体に設置されている。前記台座側ボビン２の中央線ＹＹに対して対称となる位置の上蓋側ボビン１の縁端に、前記係止爪２Ａ，２Ｂに対向して係合溝４ｃ，４ｄを設けることで、前記台座側ボビン２に、前記上蓋側ボビン１の下蓋９の前記係止爪２Ａ，２Ｂを各々の前記係合溝４ｃ，４ｄに係止することを可能としている。一方、前記台座側ボビン２の台座７には、両端に長手方向に平行に二次側の高圧側端子１３ａと一次側の低圧側端子１３ｂを植設し、中央に２分割された下側磁気コア７ｃの中央磁足６ａを組み込む台座側蓋１０の台座貫通孔１０ａを設けている。また、台座側巻筒６と、リード線の引き出し溝１１を設けてある構造である。
【０００３】
また、前記コイルボビンに組み込まれる磁気コアは、厚さ方向に上下２分割された板状フェライトコアからなる。下側磁気コア７ｃの長手方向の一端の２つの角に磁足５ｃ，５ｄを有し、対向する他端の中央に中央磁足６ａを有する。同様に、上側磁気コア７ｄも下側磁気コア７ｃの前記磁足５ｃ，５ｄ及び中央磁足６ａに対向するように、磁足５Ｃ，５Ｄ及び中央磁足６ｂを有する。
【０００４】
【発明が解決しようとする課題】
従来の前記高圧トランス用コイルボビンは、前記台座側ボビンに前記台座を有する。前記台座には、長手方向に平行に両端に二次側の高圧側端子１３ａと一次側の低圧側端子１３ｂが植設されている。このため、従来の高圧用トランスでは、基板実装面積が大きくなる欠点があった。
【０００５】
本発明は、基板実装面積が小さい高圧用トランスを提供することを目的とする。
【０００６】
【課題を解決するための手段】
本発明によれば、両端に高圧側及び低圧側端子を植設した台座と、１対の磁足と中央磁足を有する上下２分割した磁気コアを組み込み、巻線を巻き回す台座側巻筒と、台座側蓋と、リード線用の引き出し溝と、係合溝とを具備する台座側ボビンの前記台座側巻筒に、仕切り板を兼ねる巻線用上蓋側巻筒と、縁端に係止爪を設けた下蓋を具備する上蓋側ボビンの前記上蓋巻筒を挿入し、前記係合溝に前記係止爪を係止して組み合わせてなるトランスにおいて、前記高圧側端子を植設する前記台座を前記上蓋側ボビンの外径と同寸以下とし、かつ前記高圧側端子位置の台座の角を矩形状に切り、この切られた矩形内に前記高圧側端子を植設してなることを特徴とするトランスが得られる。
【０００７】
【作用】
高圧トランス用コイルボビンの高圧側端子を植設する箇所の台座の長手方向の端部を上蓋側ボビンの外径の同寸以下とし、前記台座の角を矩形状に切り、切られた矩形内に前記高圧側端子を植設することにより、表面実装面積を小さくできる。
【０００８】
【実施例】
本発明の実施例について、図面を参照して説明する。図１は、本発明のトランスを示す斜視図である。図１（ａ）は分解斜視図である。図１（ｂ）は完成斜視図である。図１（ｃ）は、本発明のトランスに使用されるコイルボビンの断面図である。
【０００９】
本発明のトランスに用いる一実施例の磁気コアは、図１に示すように、断面形状が略六角形の、上下厚さ方向に２分割された板状フェライトコアからなる。磁気コアは、上下コアを合わせて用いられる。２分割された板状の下側磁気コア７ｃは、２箇所の直角の角に、右磁足５ｃ、左磁足５ｄを有する。さらに、前記右磁足５ｃと前記左磁足５ｄとを有する対向辺の中央の位置に中央磁足６ａを有する。
【００１０】
上側磁気コア７ｄも下側磁気コア７ｃと同様に、板状の磁気コアの略六角形の角に、右磁足５Ｃ、左磁足５Ｄを有し、同様に、右及び左磁足５Ｃ，５Ｄとを有する対向辺の中央に中央磁足６ｂを有する。
【００１１】
本発明のトランスに用いられるコイルボビンは、図１に示すように、上蓋側ボビン３と、台座側ボビン４の２つの部品から構成される。
【００１２】
上蓋側ボビン３は、上蓋８と下蓋９とを有し、また、２分割された上側磁気コア７ｄの中央磁足６ｂを挿入する上蓋側貫通孔１０ｂを有する。その外周には、ほぼ等しい大きさの一次巻線１３を巻くための上蓋側巻筒５が、コイルボビンと同質の絶縁物により、一体に形成されている。
【００１３】
また、前記上蓋側巻筒５には、一次巻線１３と二次巻線１８とを電気的に絶縁する仕切り板１４［図１（ｃ）参照］と、その先端から外周に向けて、上蓋８と平行に下蓋９が一体に形成されており、一次巻線側の巻枠１６［図１（ｃ）参照］を形成している。
【００１４】
さらに、下蓋９の縁端には、２個の係止爪２Ａ，２Ｂが一体に設置されている。
【００１５】
この係止爪２Ａ，２Ｂには、下側の台座側ボビン４の中央線ＹＹに対して左右対称となる位置の縁端に、２個の係合溝４ｃ，４ｄが設けられている。この係合溝４ｃ，４ｄに、前係止爪２Ａ，２Ｂを係止することで、前記台座側ボビン４との係止・嵌着を可能にしている。
【００１６】
一方、前記台座側ボビン４の台座においては、二次側の高圧側端子１３ａを植設するために、長手方向の端部を前記上蓋側ボビンの外径と同寸法以下とし、かつ端子植設部分を矩形状に切り落とす。その切られた矩形内に前記高圧側端子１３ａを植設する。また、中央に磁気コアの２分割の下側磁気コア７ｃの中央磁足６ａを組み込む台座側蓋１０の台座側貫通孔１０ａが設けられている。
【００１７】
また、外周に二次巻線１８を巻回する台座側巻筒６と、高圧側端子１３ａの方向から前記台座側巻筒６にかけて設けられたリード線引き出し溝１１を有する。
【００１８】
最後に、台座側ボビンの前記中央線ＹＹに対して、左右対称位置にある前記係合溝４ｃ，４ｄに、上蓋側ボビン３の前記係止爪２Ａ，２Ｂを係止し、その上下に、２分割された上側及び下側磁気コア７ｄ，７ｃを挿入して組み合わせてなるトランスが完成する。
【００１９】
上述のように、台座の前記二次側の高圧側端子１３ａを有する長手方向の端部を前記上蓋側ボビンの外径と同寸以下とし、かつ高圧側端子植設部を矩形状に切り落として、その切られた矩形内に高圧側端子を植設することにより、表面実装面積が小さくなる。
【００２０】
【発明の効果】
以上、述べたように、本発明によれば、表面実装面積が小さいトランスを提供することが可能となった。
【図面の簡単な説明】
【図１】本発明のトランスを示す図。図１（ａ）は、本発明のトランスの分解斜視図。図１（ｂ）は、本発明のトランスの完成斜視図。図１（ｃ）は、本発明のトランスに用いられるコイルボビンの長手方向に平行に中央を切断した場合の断面図、又、従来のトランスに使用されるコイルボビンの断面図。
【図２】従来のトランスを示す図。図２（ａ）は、従来のトランスの分解斜視図。図２（ｂ）は、従来のトランスの完成斜視図。
【符号の説明】
１    （従来の）上蓋側ボビン
２    （従来の）台座側ボビン
２Ａ，２Ｂ    係止爪
３    （本発明の）上蓋側ボビン
４        （本発明の）台座側ボビン
４ｃ，４ｄ        係合溝
５            上蓋側巻筒
５Ｃ，５ｃ    （右）磁足
５Ｄ，５ｄ        （左）磁足
６    台座側巻筒
６ａ        （下側磁気コアの）中央磁足
６ｂ        （上側磁気コアの）中央磁足
７        台座
７ｃ        下側磁気コア
７ｄ        上側磁気コア
８        上蓋
９        下蓋
１０        台座側蓋
１０ａ        台座側貫通孔
１０ｂ        上蓋側貫通孔
１１        引き出し溝
１２        テープ
１３        一次巻線
１３ａ        高圧側端子
１３ｂ        低圧側端子
１４        仕切り板
１５        内側巻筒
１６，１９        巻枠
１７        外側巻筒
１８        二次巻線
【図１】
0003598134.tif 000002
【図２】
0003598134.tif 000003